(57)【要約】      （修正有）【課題】工場生産する事によって現場作業を低減し、２０２０年からの省エネルギー義務化住宅に対する気密性・遮音性に優れた、断熱耐震構造を、特徴とする、木造建築物の不加断熱耐震構造を得る。【解決手段】剛性を備えた基板４及びその屋内側となるべき面の周縁に一体に固定された周枠２ａと屋外側の周縁に一体に固定された周枠２を備えた面板４と面板４の屋外側となるべき面に周枠の突出し高さに等しく、貼着された断熱層６とを備え、壁面となるべき開口周囲の柱７、７ａ及び横架材の内法寸法に合わせた寸法に工場生産によって製造され、断熱層６の屋外側の外面は柱７、７ａの奥行き寸法より、屋外側に突出し大きい寸法である外壁パネル１が開口に嵌装固定された木造建築物の不加断熱耐震構造とする。【選択図】図１
2019173534.tif 000002
【特許請求の範囲】
【請求項１】
外壁部に立設された柱と、隣接する柱との間に嵌装固定された外壁パネルとを備え当該外壁パネルは、面板と、その屋内側の面の周縁に一体的に取付られた枠材と中間部にある面板とその屋外側の面の周縁に一体的に取付された枠材と面板の屋外側に貼着された断熱層とを備えている木造建築物の不加断熱耐震構造において前期外壁パネルの枠材を設けた部分の厚さがこれに隣接する前記柱の奥行き方向の寸法より屋内、屋外側に大きいことを、特徴とする木造建築物の不加断熱耐震構造
【請求項２】
柱の奥行寸法より大きい厚さを備えた前期壁パネルが、柱の屋外側面より突出嵌装固定されている、請求項１記載の、不加断熱耐震構造
【請求項３】
柱に隣接する前記枠材の幅寸法が当該枠材に隣接する柱の屋内側の面から屋内側に突出している寸法より大きく、角部の柱に隣接する枠材の前記突出している部分の外周側に４５度の面取面を備えている。請求項１又は２記載の不加断熱耐震構造
【請求項４】
内装板が前記枠材の屋内側の面に固定して設けられ、面板の上縁と縦縁に設けた枠材の前記柱の屋内側の面から突出部分に、前記内装板と面板との間の空間と屋内の空間を連通する通孔を備えている、請求項１，２、又は３記載の不加断熱耐震構造。
【請求項５】
前記面板が、前記周枠の前記面板の突出高さと等しい突出高さの内間柱と前記面板を挟んで当該内間柱に対向して設けられた、前記断熱層の厚さと等しい突出高さの外間柱とを備え、柱の奥行寸法より大きい、不加断熱耐震構造
【発明の詳細な説明】
【技術の分野】
【０００１】この発明は、２０２０年省エネ義務化に対する住宅の、断熱性、耐震性及び気密性を備えた木造建築物の断熱耐震構造に関し、木造在来工法の軸組間の開口を塞ぐ付加断熱の必要性が無い、１体型パネル構造に関するものである。
【背景技術】
【０００２】国の指導により、日本古来の木造建築物においても、エネルギー消費量以上のエネルギーを生み出す、高い「断熱性、省エネ、創エネ」の３要素が、要求されるようになっている。建築物の外周壁に断熱性を付与する構造としては、柱と横架材（土台、梁、桁、鴨居）などで形成される軸組みの外側面に断熱板を積層した外装板を取付る構造、軸組みの外側と内側に取り付けた外装板と内装板の間にできた空間に断熱層を設けた構造、柱の外側に付加断熱壁を設けている構造などが採用されている。【０００３】建築工期の短縮と現場作業負担の低減を図る為に、柱や梁などの軸組材を工場生産して、現場での作業工程を短縮、低減する事が一般的になっている。工場生産する事により軸組を形成する柱や横架材を正確な寸法に加工することができ、それを現場で所定の手順に従って組み付けてゆくことにより、経験の少ない作業者であっても、正確な寸法のたてものを短い工期で建てる事ができる。【０００４】外周壁に気密性を付与する構造としては、内側壁に気密シートを貼付けする構造が一般に行われているが、外装板の継ぎ目に形成される隙間にコーキング材ないしシーリング材（以下両者含めて）コーキング剤という。）を充填する構造（特許文献１，８）も知られている。【０００５】断熱性や耐震性を備えた壁パネルとして、特許文献２には、枠部材の外側に面板と断熱層を設けた大壁構造のパネルが提案されている。又特許文献３には、片面に面板を設けた枠体の反対面に断熱層を設け、断熱層に設けた補強部材と枠体とを結合部材で結合したパネルが示されており、特許文献４には、面板を備えない短形の枠部材の中空部を覆って室外側又は枠部材内側に断熱層を固定した壁パネルが示されている。また特許文献５には、片面に防湿性シートを配置したパネルの他面側にパネル幅より幅の狭い板材を枠材より引っ込めた状態に取り付け、防湿性シートの両端部をパネルよりはみ出すようにしたパネルが示されている。【０００６】更に、特許文献６には、枠部材の内外面に取り付けた面板の間の中空部に断熱層を設けたパネルと、当該パネルの断熱層ないし内側の面板に溝を設けて軸組みとの継ぎ目にコーキング剤を充填する構造が示されており、特許文献７には、軸組と壁パネルとの接合部の気密構造が示されている。また、特許文献９には柱や土台で囲まれた区画内に、硬質ウレタン樹脂発泡性液を現場で発泡吹付け、通気胴縁の屋外側に外壁仕上げ材を取付、間柱の屋内側に内壁下地を取付、該内壁下地の屋内側に内壁仕上げ材を取り付けた構造が示されている。【０００７】これらの壁パネルは、通常、柱寸法（柱の壁厚方向の寸法）と等しい厚さを備え、面板の屋内側に断熱層を設けている。断熱層の厚さは、柱寸法から面板の厚さを引いた寸法より薄い。そしてパネルの屋内側に内装板を取り付けた時に生ずる内装板と断熱層との間にできる空間を、配管スペースや配線スペースとして利用している。
【先行技術文献】
【特許文献】
【０００８】
【特許文献１】特開平  ７−０５４４１３号公報
【特許文献２】特開平  ９−１８４２１２号公報
【特許文献３】特開平  １０−０４６７４２号公報
【特許文献４】特開平  １０−１５２９１９号公報
【特許文献５】特開平  １１−０５０５６３号公報
【特許文献６】特開  ２００１−１２３５６１号公報
【特許文献７】特開  ２００４−０７６３１４号公報
【特許文献８】特開  ２００５−１０５６２２号公報
【特許文献９】特開  ２０１４−０７７２４４号公報
【発明の概要】
【発明が解決しようとする課題】
【０００９】木造在来軸組み工法では、柱寸法を基本にした外壁パネルを用いる大壁工法が有る。一方外壁の断熱性に関して、国の指導の元に１地域から８地域迄の断熱地域区分があり、各地域区分毎に、住宅の省エネルギー断熱等級基準が定められており。エネルギー消費の削減及び地球温暖化対策が推進されている。【００１０】この地域区分毎に外壁に設ける断熱層の材質や厚さが断熱等級で決まられており、温暖地では断熱層は薄くて良く、寒冷地では厚くする必要がある。断熱材の種類では、グラスウール断熱材や、現場発泡断熱材など種々な工法があるが、一般的に使用されている、３．５寸角柱  ４寸角柱の標準住宅では、柱の奥行寸法によって壁厚が制限され、外壁パネルに必要な厚さの充填層を設けることができないとか断熱層を厚くすると外壁パネル屋内側に、はみ出して、内装板や、配線  配管スペースを確保することができないとかの、問題が生じる。また、柱の外側に付加断熱壁を、設ける住宅の場合には、外壁が垂れ下がってクラックや漏水の原因になり、施工や技術的な関係でコストが非常に高くつくという門題がある。【００１１】この発明は、柱寸法の制限を受けないで外周壁パネル内に設ける断熱層の厚さを調整する事ができ、従って、各地域区分や断熱等級で決められた断熱性能に応じた断熱層を設ける事ができる、断熱性、遮音性及び耐震性に優れた木造家屋の不加断熱の断熱耐震構造を提供することを課題としている。
【課題を解決するための手段】
【００１２】この発明の不加断熱耐震構造は、軸組を形成する柱７（７、７ａ）及び横架材８（８ａ、８ｂ）と当該軸組の開口に嵌装固定される外周壁パネル１（１、１ａ）とを備えている。この発明の不加断熱耐震構造で使用する外周壁パネル１は、構造用合板や集積材などから剛性を備えた面板４及びその屋内側となる面と屋外側となる面の周縁に固定された枠材２（２，２ａ）、３と、断熱層６とを備えている【００１３】外壁パネル１の厚さ、すなわち奥行き方向の寸法ａは枠材（２，２ａ）３や間柱５と５ａの奥行方向の寸法を大きくする事により、柱７の当該方向の寸法ｃより大きくしている。これにより外壁パネルの屋外側に設置可能な断熱層６を各地域に合せ最大厚さを調整ができ、省エネルギー基準の異なる地域の住宅に対応できる。【００１４】外壁パネル１は国の指導で、各地域の断熱等級に合わせ、屋外側の断熱層６の厚みを柱７の屋外側面と屋内側面より、突出し（２、２ａ）、（３，３ａ）（５、５ａ）の間柱を大きくすることで、柱ｃより、屋内側ｄと屋外側ｄの空間が形成され、屋内側ｂの空間は、配管スペースや、配線スペースに使用でき、また屋外側ｄの空間は、外部側通気層として小屋裏の排気口迄、連続している。【００１５】一方、建物の角部においては、角部の柱の両側に固定される外壁パネルの枠材屋内側の、突出部２ａ相互が干渉する。この干渉は、当該両側に固定される枠材２ａの突出部、屋内側入り角部に、屋内側柱角部より４５度の面取面１５を、互いの２ａ部分に、均等な隙間を、設けることによって避けることができる。この面取りをした後の枠材２ａ相互の隙間にコーキングをすることで気密性が向上する。内装板１１を固定可能にする為には、突出部２ａの横寸法を大きくすることになる。従ってこの発明の構造における外壁パネル１においては（２、２ａ）の断面寸法が大きくなり、日本古来の平均地、柱奥行寸法より、大きくなり、建物の耐震性や断熱性の効果がえられる。【００１６】外壁パネル１の上辺の枠材３（３、３ａ）の奥行寸法も上辺の横架材８ａの奥行寸法より大きくなり外壁パネル１の上辺３と左右両辺の枠材２ａと３ａも屋内側に突出する。屋内側の壁に、内装板を貼る場合には地下貼りの工程と下地取付の工程とがあり，地下貼りの場合には、屋内側のｂの空間の部分の空気の流れを考慮して左右両辺の枠材に、通孔を設け、下地取付内装板貼りの場合は、空気の上下の温度差により流動させる事ができ通孔は無くても良い、いずれにしても結露などによる空間周囲の木材の腐食を防止できる。
【発明の効果】
【００１７】この発明により、一般の住宅に用いられている柱寸法の外面に特別作業工程によって、付加断熱作業させることなく、発明の構造は、断熱層を外側の制限を受けないで外壁パネルに設ける断熱層の厚さを厚くする事ができ、従って、外壁パネル地域区分や、断熱等級毎の断熱性能に応じた断熱層を設けることができ、遮音性も向上する。また外壁パネルの強度が高くなることにより、一般の木造住宅より、台風や、災害時に外部からの衝撃に耐えられる外周壁と小屋裏パネルを備えた構造となり、耐震性や土砂崩れなどに対する耐衝撃性も向上するなど未来に向けた理想の住宅を実現できる効果がある。【００１８】更に、断熱層を厚くしても、柱や横架材の屋外側や屋内側に配管スペースや配線スペースを確保するこができ、さらに外部通気層を備えこれらのスペースに空気が滞留して外壁パネルの耐久性を低下させるという門題も解決できる。【００１９】またこの発明の不加断熱耐震構造では、外壁パネルを柱や小屋梁ばり、横架材などの軸組材と共に工場生産する事により、強度、断熱性、気密性、耐震性などの性能が高く、かつ均質な外周壁を構築する事ができ、現場の作業負担も軽減され現場の工期短縮と職人の技術も均等かされる。
【図面の簡単な説明】
【００２０】
【図１】外壁部分の構造を示す横断面図
【図２】外壁の角部における外壁構造を示す横断面図
【図３】外壁部分の構造を示す縦断面図
【発明を実施するための形態】
【００２１】以下、図面を参照してこの発明の実施形態を説明する。この発明の不加断熱耐震構造で用いられる外壁パネル１は、短形の周枠を形成する枠材２ａ、と３ａとその屋外側の面に固定された面板４と面板４の屋外側に固定された２と３の周縁の奥行方向に比例して断熱層と必要に応じて設ける間柱５と５ａ、を備えている。
面板４は所定の短形寸法に切断した市販の構造合板で枠材２ａ、３ａ、２、３，５ａ、５はそれぞれ面板４の屋内側と屋外側の周縁に固定されている。
【００２２】外壁パネル１は、隣接する２本の柱７とその上下の横架材８（８ａ、８ｂ）で形成される短形の開口の内法寸法に等しい、屋内側にｄ分大きく、屋外側にｄ分大きく、上方の横架材８ａは、梁、桁、窓の下枠などであり、下方の横架材８ｂは、土台、床、窓の上枠などである。
【００２３】外壁パネル１は、軸組材７、８と共に工場生産される。面板４は、市販されている、大きさと厚さの物を用いる。枠材２、２ａ、３、３ａは当該枠材のパネル厚さ方向の寸法と面板の厚さとを加えた寸法は、柱７、７ａは屋外側から内側に小さく、屋内側より小さい、外周壁に嵌装する開口の周囲の軸組材７、８，特にその柱７の奥行寸法より大きくなる、ｂとｄの空間を利用することによって、各地域に合わせ持つ、優れた付加断熱耐震構造の基本となる、外周壁の構築工法である。
【００２４】断熱層６は、市販されている厚さのものを用いるのが便利である。外壁パネル１の厚さａを隣接する柱７や横架材８の奥行寸法より屋内側と屋外側に大きくしているので柱７や横架材８の寸法に制約されることなく、必要とされる耐熱性能に応じて断熱層６の厚さを決定でき、充分な断熱性能を付与することができる従って、国の普及促進等目標「ＺＥＨ」住宅で高い断熱性能が要求され，各地域の断熱等級、においても、断熱層６の厚さを変更するだけで、性能が向上する。
【００２５】枠材２と２ａ、３と３ａの互いの内側の面と面とに、面板４を挟み込、面板４の屋外側に形成される断熱層６の厚さに応じて５，５ａが面板４に必要に応じて固定される、従って枠材と面板や断熱層が一体となり、耐震性や断熱性の高い強固な構造を提供できる。
【００２６】外壁パネル１は通常、面板４の屋内側と屋外側の柱面より大きく奥行が柱７や横架材８の屋外側の外面より突き出し所定寸法の下地外面にあわせた定位置で軸組間の開口に嵌装され、固定して取付される。この発明の不加断熱耐震構造における、外壁パネル１は柱奥行寸法より屋内側に突き出空間ｄを備えているのでその寸法が大きい分だけ外壁パネル１は配管スペースや配線スペースに使用できる。また屋外側の、柱７より屋外側にｄ部分の空間部分が突き出している、その空間は外気の温度差を利用して通気層とすることができ通気層は小屋裏の排気口まで通じている
【００２７】また、外壁パネル１の厚さを柱７や横架材８の奥行寸法より大きくしているので断熱層６の厚さを厚くしても、断熱層６と外装板との間に空間ができ、充分な通気層を確保できる。
【００２８】建物の角部においては、図１に示すように、角の柱７ａの両側の外壁パネル１ａの枠材２ａの柱７ａから屋内側に突出しする部分が干渉するのを避けるために柱７ａに隣接する枠材２ａの柱７ａ側の面の柱７ａから突き出する領域に４５度の面取面１５を設ける。この面取りを可能にするため及び面取した後でも枠材２ａの屋内側に内装板１１を固定するのに必要な面が存在する必要から、柱７ａに隣接する枠材２ａの幅寸法を大きくして外壁パネル１ａの強度、従って建物の耐震性を向上させることができる。隣接する外壁パネル２ａの面取面１５相互の間に隙間が生じて、気密性に問題が生ずるときは、この隙間にコーキング剤１６を充填してやればよい。
【００２９】図３に示すように、外壁パネル１の上下の枠材３、３ａは上下の横架材８ａ  ８ｂ屋内側と屋外側とに突出すのが普通である。この上下の枠材３の横架材８ａ、８ｂから屋内側に突出した部分２ａに内装板と屋内側面板部分４で中空層ができる。これにより内装板を地下貼りの場合、面板周縁固定の２ａ、３ａに適宣通孔１３を設けることにより配管スペースと、配線スペース空間にある空気を、部屋側内装板と面板屋内側の中空層などに、内部結露等を生じるような場合に、空気を、上方又は下方へと流動させて外壁パネルの結露や湿度にたいする腐食を防止することができる。また屋内側の内装板を下地取付作業工程の場合は、ｄの部分が大きく空気の流動、適宣通孔の考慮はしなくてもよい。
【００３０】この発明の構造に、おける外壁パネル１は軸組材７、８と共に工場生産され、壁となるべき軸組の開口や天井裏の軸組の開口に嵌め込んで釘等などで固定される窓がつく外周壁には、窓の上下壁にパネルを装着する。パネルと柱及び横架材の取り合いは内法面部分とし、パネルは、軸組の奥行寸法より、屋内側と屋外側に突出に合わせた寸法に工場で加工される。パネルと柱、横架材及び小屋梁との接合部には、必要に応じてコーキング剤を充填して気密性を付与する。
【００３１】パネル１は、軸組の開口に嵌め込んだ後、枠材２、２ａ、３、３ａを軸組材７８に釘等止めにより固定するのが、施工性にすぐれる。この場合、枠材２ａ  ３ａに釘等止め位置を示す、印を設けておくことで、釘等止め位置が現場作業者に解りやすく、施工精度を上げることができる。
【００３２】このようにして、軸組の所定の開口にそれぞれについて用意されたパネルを嵌め込んで枠材２、２ａ、３、３ａを軸組７，８の内法面に固定した後、外装材及び内装板１１を取付て外周壁を完成させる。
【００３３】このようにして形成された外周壁は、付加断熱の必要としない、柱の奥行制限を受けない、各地域に断熱等級の性能表示が、適合する一体型の外周壁構造であって、外周壁は断熱性、及び耐震性、気密性を備えているので、外装材や内装材は気密性や断熱性を、考慮することなく、美感、施工性及び耐久性の観点から選択することができ外装及び内装の自由度が高くなり、施主の希望に叶える住宅を構築することができる。
【００３４】また天井裏の小屋梁間の開口にこの発明のパネルを装着することにより、天井裏の断熱性及び、気密性を確保でき、同時に高い耐震性もえられる。
【符号の説明】
【００３５】１  （１，１ａ）外壁パネル
２  （２、２ａ）枠材
３  枠材
４  面板・基板
５  間柱
６  断熱層
７  （７、７ａ）柱
８  （８ａ、８ｂ）横架材
１１  内装板
１２  空間
１３  通孔
１４  空間
１５  面取面
１６  コーキング
ａ    奥行方向の寸法
ｂ    奥行方向の寸法
ｃ    奥行方向の寸法
ｄ    突出空層
【図１】
2019173534.tif 000003
【図２】
2019173534.tif 000004
【手続補正書】
【提出日】平成30年6月25日(2018.6.25)
【手続補正３】
【補正対象書類名】明細書
【補正対象項目名】００２０
【補正方法】変更
【補正の内容】
【００２０】
【図１】外壁部分の構造を示す横断面図と、図２記名の、外壁の角部における外壁構造を示す横断面図は共有とし、図１に統一する。木造建築物の外周壁に、土台、横架材、柱の内法寸法に嵌装固定され、柱、土台、横架材の奥行寸法より、屋外側に突出し屋内側に突出し、突き出した部分に空間が、形成され断熱層と体力面材を備え、内側に突き出した枠材の干渉部分に、４５度の面取りを備えた、木造建築物の不加断熱耐震構造図１
【図２】外壁部分の構造を示す縦断面図の記名文を図２に変更とする。外周壁の土台、横架材の内法寸法に嵌装固定され、断熱層が外部側に有、断熱層の屋内側面に体力面材が貼り着固定され、柱の奥行寸法より、屋外部に突き出し、屋内側に柱面より突き出し内装貼り状況に、必要に応じて周縁に空気の通孔を示した、木造建築物の不加断熱耐震構造、図２。